(57)【要約】【課題】  容易に耐火機能と断熱機能を付加できる天井パネルを提供すること。【解決手段】  枠体があり、上記枠体の内側に断熱材と耐火材を積層させた構成とすることで、断熱性能と耐火機能の両方を兼備するようにし、例えば、組立家屋やユニットハウス等の建築物の天井パネルとして用いることで、上記組立家屋やユニットハウス等に断熱性能と耐火性能の両方を簡易な構成により容易に付与し、部屋内の快適性を向上させるとともに火災時の延焼を防止できるようにしたもの。【選択図】  図１０
2019127689.tif 000002
【特許請求の範囲】
【請求項１】
枠体があり、上記枠体の内側に断熱材と耐火材を積層させたことを特徴とする天井パネル。
【請求項２】
請求項１記載の天井パネルにおいて、
上記断熱材は上記耐火材の上に積層されていることを特徴とする天井パネル。
【請求項３】
請求項２記載の天井パネルにおいて、
上記枠体には梁材が設けられていて、
上記耐火材は上記梁材に吊り下げられていることを特徴とする天井パネル。
【請求項４】
請求項３記載の天井パネルにおいて、
上記梁材にはＴスロット溝が設けられていて、上記耐火材は上記Ｔスロット溝とボルト・ナットを使用して吊り下げられていることを特徴とする天井パネル。
【請求項５】
請求項１〜請求項４の何れかに記載の天井パネルにおいて、
上記耐火材は複数層にわたって設けられていて、各層は複数枚の耐火材を並べて構成されていて、各層の耐火材の境界部がずれていることを特徴とする天井パネル。
【請求項６】
請求項１〜請求項５の何れかに記載の天井パネルにおいて、
外表面と内表面には一枚物のアルミニウム合金板が設置されていることを特徴とする天井パネル。
【発明の詳細な説明】
【技術分野】
【０００１】
本発明は、例えば、組立家屋に設置される天井パネルに係り、特に、断熱性能と耐火機能の両方を兼備するように工夫したものに関する。
【背景技術】
【０００２】
従来の天井パネルを開示するものとして、例えば、特許文献１、特許文献２、特許文献３、等がある。まず、特許文献１に記載された発明による「木造軸組系ユニットハウス」の場合には、基本木軸フレームがあり、この基本木軸フレームに屋根パネル、壁パネル、間柱、窓パネル、天井パネル、ハシゴ階段等が設置された構成になっている。上記壁パネル、天井パネル、屋根パネルには断熱材が使用されている。
【０００３】
次に、特許文献２に記載された組立家屋は１又は複数個の折り畳み可能な組立ユニットから構成されている。各組立ユニットには床壁体と天壁体が設けられていて、上記床壁体の前後両端には端壁体がそれぞれ回動可能に設置されているとともに、幅方向両端には側壁体がそれぞれ回動可能に設置されている。また、上記床壁体の四隅には組立支柱がそれぞれ回動可能に設置されている。また、上記天壁体の四隅には折り畳み支柱が回動可能に設置されている。
【０００４】
そし、上記端壁体、上記側壁体、及び、上記組立支柱を上記床壁体側に倒すとともに上記折り畳み支柱を上記天壁体側に倒し、上記天壁体を上記側壁体の上に重ねて組立ユニットを折り畳んだ状態とする。
また、上記端壁体、上記側壁体、及び、上記組立支柱を起こすとともに上記折り畳み支柱を起こし、上記組立支柱の上に上記折り畳み支柱を連結することで上記側壁体の上に上記天壁体を設置して、上記組み立てユニットを展開させる。
上記床壁体には床パネルがあり、この床パネルは樹脂、木材、耐火板等のパネル材によって構成されている。また、上記天壁体には天井パネルがあり、この天井パネルも樹脂、木材、耐火板等のパネル材によって構成されている。
【０００５】
さらに、特許文献３に記載された組立家屋は、特許文献１に記載された組立ユニットを標準型の組立ユニットとし、これとは別の中間型の組立ユニットも用いて構成される。上記中間型の組立ユニットは、上記標準型の組立ユニットと略同様の構成であるが、側壁体が設けられていない。上記中間型の組立ユニットは、例えば、２つの上記標準型の組立ユニット間に設置される。
この場合も、床パネル、天井パネルは、樹脂、木材、耐火板等のパネル材によって構成されている。
【先行技術文献】
【特許文献】
【０００６】
【特許文献１】特開２００４−２３８８００号公報
【特許文献２】特開２０１６−６９８４９号公報
【特許文献３】特開２０１６−６９８７６号公報
【発明の概要】
【発明が解決しようとする課題】
【０００７】
上記従来の構成によると、次のような問題があった。
すなわち、特許文献１に記載された発明の場合には、壁パネル、屋根パネル、天井パネルに断熱材が使用されており、必要な断熱機能についてはこれを担保することができるものの、耐火性能については不充分であるという問題があった。
一方、特許文献２、特許文献３に記載された発明の場合には、天井パネルは樹脂、木材、耐火板等のパネル材によって構成されている。その際、樹脂性或いは木製のパネルを使用した場合には必要な断熱性能を得ることができるものの耐火性能については不充分となり、耐火板からなるパネルを使用した場合には必要な耐火性能を得ることはできるものの断熱性能については不充分となってしまうという問題があった。
【０００８】
本発明はこのような点に基づいてなされたものでその目的とするところは、断熱機能と耐火性能の両方を兼備した天井パネルを提供することにある。
【課題を解決するための手段】
【０００９】
上記目的を達成するべく本願発明の請求項１による天井パネルは、枠体があり、上記枠体の内側に断熱材と耐火材を積層させたことを特徴とするものである。
又、請求項２による天井パネルは、請求項１記載の天井パネルにおいて、上記断熱材は上記耐火材の上に積層されていることを特徴とするものである。
又、請求項３による天井パネルは、請求項２記載の天井パネルにおいて、上記枠体には梁材が設けられていて、上記耐火材は上記梁材に吊り下げられていることを特徴とするものである。
又、請求項４による天井パネルは、請求項３記載の天井パネルにおいて、上記梁材にはＴスロット溝が設けられていて、上記耐火材は上記Ｔスロット溝とボルト・ナットを使用して吊り下げられていることを特徴とするものである。
又、請求項５による天井パネルは、請求項１〜請求項４の何れかに記載の天井パネルにおいて、上記耐火材は複数層にわたって設けられていて、各層は複数枚の耐火材を並べて構成されていて、各層の耐火材の境界部がずれていることを特徴とするものである。
又、請求項６による天井パネルは、請求項１〜請求項５の何れかに記載の天井パネルにおいて、外表面と内表面には一枚物のアルミニウム合金板が設置されていることを特徴とするものである。
【発明の効果】
【００１０】
以上述べたように本願発明の請求項１による天井パネルによると、枠体があり、上記枠体の内側に断熱材と耐火材を積層させたので、断熱性能と耐火機能の両方を兼備させることができる。
又、請求項２による天井パネルによると、請求項１記載の天井パネルにおいて、上記断熱材は上記耐火材の上に積層されているので、簡易な構成により容易に耐火機能と断熱機能を付加できる。
又、請求項３による天井パネルによると、請求項２記載の天井パネルにおいて、上記枠体には梁材が設けられていて、上記耐火材は上記梁材に吊り下げられているので、より簡易な構成によりに耐火機能と断熱機能を付加できる。
又、請求項４による天井パネルによると、請求項３記載の天井パネルにおいて、上記梁材にはＴスロット溝が設けられていて、上記耐火材は上記Ｔスロット溝とボルト・ナットを使用して吊り下げられているので、より簡易な構成により容易に耐火材を設置できる。
又、請求項５による天井パネルによると、請求項１〜請求項４の何れかに記載の天井パネルにおいて、上記耐火材は複数層にわたって設けられていて、各層は複数枚の耐火材を並べて構成されていて、各層の耐火材の境界部がずれているので、火炎の流出を防止し、耐火機能を高めることができる。
又、請求項６による天井パネルによると、請求項１〜請求項５の何れかに記載の天井パネルにおいて、外表面と内表面には一枚物のアルミニウム合金板が設置されているので、雨水等の侵入を確実に防止することができる。
【図面の簡単な説明】
【００１１】
【図１】本発明の一実施の形態を示す図で、天井パネルの斜視図である。
【図２】本発明の一実施の形態を示す図で、図２（ａ）は天井パネルの平面図、図２（ｂ）は天井パネルの右側面図、図２（ｃ）は天井パネルの正面図である。
【図３】本発明の一実施の形態を示す図で、天井パネルの分解斜視図である。
【図４】本発明の一実施の形態を示す図で、図４（ａ）は図２（ａ）のＩＶａ−ＩＶａ断面図、図４（ｂ）は図２（ａ）のＩＶｂ−ＩＶｂ断面図である。
【図５】本発明の一実施の形態を示す図で、図２（ａ）のＶ部の拡大図である。
【図６】本発明の一実施の形態を示す図で、枠体の長手枠材および短手枠材の端面図である。
【図７】本発明の一実施の形態を示す図で、枠体のコーナーブロックの斜視図である。
【図８】本発明の一実施の形態を示す図で、枠体の内部梁の端面図である。
【図９】本発明の一実施の形態を示す図で、図４（ｂ）のＩＸ−ＩＸ矢視図である。
【図１０】本発明の一実施の形態を示す図で、図４（ａ）のＸ部拡大図である。
【発明を実施するための形態】
【００１２】
以下、図１乃至図１０を参照して本発明の一実施の形態について説明する。
図１〜図５に示すように、天井パネル１には枠体３がある。この枠体３には外周枠５があり、この外周枠５は短手枠材７、９、長手枠材１１、１３を長方形に組み合わせて構成されている。これら短手枠材７、９、長手枠材１１、１３はアルミニウム合金製の押出材であり、全て同じ端面形状を備えている。
【００１３】
上記短手枠材７、９、長手枠材１１、１３は図６に示すような端面形状を備えている。まず、略長方形の端面形状をなす枠材本体１５があり、この枠材本体１５には中空部１６が長手方向に延長・形成されており、また、Ｔスロット溝１７、１９、２１が長手方向に延長・形成されている。また、上記枠材本体１５にはタップ用溝２３、２５が長手方向に延長・形成されている。また、上記枠材本体１５には略Ｌ字形状をなす張出部２７が張り出されていて、この張出部２７も長手方向に延長・形成されている。
【００１４】
上記短手枠材７、９、長手枠材１１、１３は、図３、図５に示すように、例えば、アルミニウム合金製のコーナーブロック３１を介して連結されている。上記コーナーブロック３１は、図７に示すように、略直方体であり、図７中左下側の面から図７中右上側の面に向かってネジ用貫通孔３３、３５が形成されているとともに、図７中右下側の面からと図７中左上側の面に向かってネジ用貫通孔３７、３９が形成されている
【００１５】
上記コーナーブロック３１と上記短手枠材９は、図５に示すように、タッピングネジ４１、４１を上記ネジ用貫通孔３３、３５を通して上記短手枠体９のタップ用溝２３、２５に螺合させることで連結されている。上記ネジ用貫通孔３３、３５は図５中上側が縮径されているので上記タッピングネジ４１、４１の頭部が段付面（図５中上側の面）に当接されている。
また、上記コーナーブロック３１と上記長手枠材１１の連結も同様に、タッピングネジ４１、４１を上記ネジ用貫通孔３７、３９を通して上記枠体１１のタップ用溝２３、２５に螺合させることで連結されている。上記ネジ用貫通孔３７、３９も図５中左側が縮径されているので上記タッピングネジ４１、４１の頭部が段付面（図５中左側の面）に当接されている。
また、上記コーナーブロック３１と上記短手枠材９、長手枠材１１との間には、止水用のスポンジ４５、４５が介挿されている。これらスポンジ４５、４５は図示しない両面テープによって上記コーナーブロック３１に張り付けられ、上記短手枠材９、長手枠材１１の端面によって押圧・圧縮されている。
このようにして、上記短手枠材９と長手枠材１１が連結されている。同様にして、上記コーナーブロック３１を介して、上記短手枠材９と上記長手枠材１３、上記短手枠材７と上記長手枠材１１、上記短手枠材７と上記長手枠材１３、が連結されている。
【００１６】
また、図３に示すように、上記外周枠５の内側には内部梁５１、５３、５５、５７、５９が、前後方向（図３中左下から右上に向かう方向）に沿って延長・設置されている。これら内部梁５１、５３、５５、５７、５９もアルミニウム合金製の押出材であり、全て同じ端面形状を備えている。
すなわち、図８に示すように、端面形状が略正方形をなす梁材本体６０があり、この梁材本体６０の中心部には中空部６２が長手方向に沿って延長・形成されている。また、梁材本体６０の４辺にはＴスロット溝６１、６３、６５、６７が長手方向に沿って延長・形成されている。また、上記梁材本体６０の四隅には略扇形状をなす中空部７１、７３、７５、７７が長手方向に沿って延長・形成されている。
【００１７】
上記内部梁５１は、図４（ｂ）、図９に示すように、上記外周枠５の長手枠材１１、１３に、連結部材８１、８２等を介して連結されている。上記連結部材８１の先端側（図４（ｂ）中左端側）にはＴスロット部８３が設けられている。また、上記連結部材８１の図９には、図９中上側が縮径された段付き貫通孔８４が形成されている。また、上記段付き貫通孔８４の図９中上側の開口部の周縁部には上記連結部材８１から離間する方向（図９中下側から上側）に向かって縮径されたテーパ形状部８５が形成されている。
上記連結部材８２も上記連結部材８１と略同様の構成であるが、雌ねじ部８６が設けられている。上記テーパ形状部８５は上記雌ねじ部８６の図９中下側の開口部の周縁部に設けられている。また、上記内部梁５１を貫通して、円筒形のスリーブ８７が設置されている。このスリーブ８７の図９中上下両端側の開口部の内側は外側（図９中上側又は下側）に向かって拡径されたテーパ形状になっている。
【００１８】
上記連結部材８１、８２のＴスロット部８３は上記長手枠材１３のＴスロット溝１７に挿入されていて、上記連結部材８１のＴ型部８３以外の部分（図９中右側の部分）は上記内部梁５１のＴスロット溝６７内に挿入されていて、上記連結部材８２のＴスロット部８３以外の部分（図９中右側の部分）は上記内部梁５１のＴスロット溝６３内に挿入されている。
上記連結部材８１、８２のテーパ形状部８５、８５は上記スリーブ８７の開口部に係合される。
上記連結部材８１、８２は、ボルト８８を上記連結部材８１の段付き貫通孔８４と上記スリーブ８７を貫通して上記連結部材８２の雌ねじ部８６に螺合させていくことで互いに接近する方向に移動される。また、このとき、上記連結部材８１、８２のテーパ形状部８５、８５と上記スリーブ８７の両端側のテーパ形状によって、上記連結部材８１、８２は、図９中右側に移動される。これにより、上記長手枠材１３と上記内部梁５１が連結・固定される。
【００１９】
同様にして、上記長手枠材１１と上記内部梁５１が連結・固定されている。また、他の内部梁５３、５５、５７、５９についても、同様にして、上記長手枠材１１、１３に連結・固定されている。
なお、上記連結部材８２の上記連結部材８１と共通する構成要素は同じ符号を付して説明を省略している。
【００２０】
また、図３、図４、図１０に示すように、上記外周枠５の内側であって下部には、耐火材複合体９１が設置されている。この耐火材複合体９１は、幅方向（図３中左右方向）に並べられた複数枚の下側耐火材９３、９５、９７、９９と、これら下側耐火材９３、９５、９７、９９の上に積層され幅方向（図３中左右方向）に並べられた複数枚の上側耐火材１０１、１０３、１０５、１０７、１０９、１１１と、から構成されている。上記下側耐火材９３、９５、９７、９９と上記上側耐火材１０１、１０３、１０５、１０７、１０９、１１１はケイ酸カルシウム板である。また、上記上側耐火材１０１、１０３、１０５、１０７、１０９、１１１と上記下側耐火材９３、９５、９７、９９は接着剤１１３によって貼り合わされている。上記接着剤１１３は、例えば、無機系の接着剤である。
【００２１】
また、図３に示すように、上記下側耐火材９３、９５、９７、９９の境界部と上記上側耐火材１０１、１０３、１０５、１０７、１０９、１１１の境界部はその位置がずれている。これにより、例えば、天井パネル１を使用した組立家屋の内側（図３中下側）で発生した火炎が、上記下側耐火９３、９５、９７、９９の境界部に至っても、上記上側耐火材１０１、１０３、１０５、１０７、１０９、１１１によってそれ以上の延焼は阻止される。
【００２２】
また、上記耐火材複合体９１は、図３、図４（ａ）及び図１０に示すように、吊りボルト１２１によって上記内部梁５１、５３、５５、５７、５９から吊り下げられている。すなわち、上記内部梁５１、５３、５５、５７、５９のＴスロット溝６１内にはＴ型ナット１２３が内装されていて、上記吊りボルト１２１を上記耐火材複合体９１と上記内部梁５１、５３、５５、５７、５９を通して上記Ｔ型ナット１２３に螺合させることで、上記耐火材複合体９１が上記内部梁５１、５３、５５、５７、５９から吊り下げられている。
なお、図４（ａ）、図１０には、上記内部梁５９から上記耐火材複合体９１が上記内部梁５９から吊り下げられた構成が図示されている。
【００２３】
また、上記吊りボルト１２１の頭部１２５は、図１０に示すように、上記耐火材複合体９１の図１０中下側に形成された吊りボルト収容凹部１２７内に収容・配置されている。また、上記吊りボルト１２１の頭部１２５と上記吊りボルト収容凹部１２７の図１０中上側の面の間にはワッシャ１２９が介挿されている。
【００２４】
また、図４（ａ）に示すように、上記外周枠５の内側であって上記耐火材複合体９１の図４（ａ）中上側には、複数の断熱材複合体１３１、１３３、１３５、１３７、１３９、１４１が、図４（ａ）中左右方向に並べられた状態で設置されている。上記断熱材複合体１３１は、２枚の同形の断熱材１４３、１４３を接着剤１４５で張り合わせたものである。同様に、上記断熱材複合体１３３も、２枚の同形の断熱材１４７、１４７を接着剤１４５で張り合わせたものであり、上記断熱材複合体１３３も、２枚の同形の断熱材１４９、１４９を接着剤１４５で張り合わせたものであり、上記断熱材複合体１３３も、２枚の同形の断熱材１５１、１５１を接着剤１４５で張り合わせたものであり、上記断熱材複合体１３３も、２枚の同形の断熱材１５３、１５３を接着剤１４５で張り合わせたものであり、上記断熱材複合体１３３も、２枚の同形の断熱材１５５、１５５を接着剤１４５で張り合わせたものである。上記断熱材１４３、１４７、１４９、１５１、１５３、１５５は、例えば、イソシアヌレート製である。また、上記接着剤１４５は、例えば、ウレタン系の接着剤である。
【００２５】
また、図３、図４に示すように、上記断熱材複合体１３１は上記枠体３の短手枠材７と内部梁５１の間に収容・配置されており、上記断熱材複合体１３３は上記枠体３の内部梁５１と内部梁５３の間に収容・配置されており、上記断熱材複合体１３５は上記枠体３の内部梁５３と内部梁５５の間に収容・配置されており、上記断熱材複合体１３７は上記枠体３の内部梁５５と内部梁５７の間に収容・配置されており、上記断熱材複合体１３９は上記枠体３の内部梁５７と内部梁５９の間に収容・配置されており、上記断熱材複合体１４１は上記枠体３の内部梁５９と短手枠材９の間に収容・配置されている。
【００２６】
また、上記天井パネル１の図４（ａ）中上側には、例えば、アルミニウム合金製の化粧板１６１が設置されている。上記化粧板１６１は、例えば、ウレタン系の接着剤１６３によって、上記断熱材複合体１３１、１３３、１３５、１３７、１３９、１４１に貼り付けられている。また、上記化粧板１６１は一枚物であり、その外周部は既に説明した外周枠５の上に重ねられていて、複数個の止水リベット１７１によって固定されている。このような構成を採用することにより防水機能を高めている。
【００２７】
また、上記天井パネル１の図４（ａ）中下側には、例えば、アルミニウム合金製の化粧板１６５が設置されている。上記化粧板１６５は、例えば、無機系の接着剤１６７によって、上記耐火材複合体９１に貼り付けられている。上記化粧板１６５も一枚物である。
また、図４（ａ）に示すように、天井パネル１を外壁２０１に固定する場合には、天井パネル１の枠体３と外壁２０１にアングル材２０３を押し当てる。そして、上記枠体３のＴスロット溝１９にＴ型ナット２０５を内装し、そこにボルト２０７を螺合するともに、上記外壁２０１に固定ねじ２０９を螺合することにより固定する。
また、上記天井パネル１を内壁２１１に固定する場合には、天井パネル1の化粧板１６５と上記内壁２１１にアングル材２１３を押し当てる。そして、天井パネル１側の溝２１５にナット２１７を内装し、そこにボルト２１９を螺合するとともに、上記内壁２１１に固定ねじ２２１を螺合することにより固定する。
【００２８】
次に、この一実施の形態の作用について説明する。
天井パネル１は、例えば、ユニットハウスの天井として用いられる。上記天井パネル１は、耐火材複合体９１側（図４（ａ）中下側）をユニットハウスの内側に向けて設置される。
上記天井パネル１には耐火材複合体９１と断熱材複合体１３１、１３３、１３５、１３７、１３９、１４１があるため、断熱性能と耐火性能の両方を発揮することができる。
また、上記耐火材複合体９１は下側耐火材９３、９５、９７、９９に上側耐火材１０１、１０３、１０５、１０７、１０９、１１１を積層させて構成されており、上記下側耐火材９３、９５、９７、９９の境界部と上記上側耐火材１０１、１０３、１０５、１０７、１０９、１１１の境界部の位置がずれており、上記下側耐火材９３、９５、９７、９９の境界部からの火炎の流出を上記上側耐火材１０１、１０３、１０５、１０７、１０９、１１１によって防止する。
【００２９】
次に、この一実施の形態による効果について説明する。
まず、断熱性能と耐火性能の両方を兼備した天井パネル１を提供することができる。これは耐火材複合体９１と断熱材複合体１３１、１３３、１３５、１３７、１３９、１４１を積層させた構成としたからである。
また、上記耐火材複合体９１の上に断熱材複合体１３１、１３３、１３５、１３７、１３９、１４１を積層させているので、高い断熱性能と耐火性能を得ることができる。
また、上記耐火材複合体９１を上記枠体３から吊り下げるようにしているので、別途固定するための構成を設ける必要はなく、構成の簡略化を図ることができる。
特に、上記耐火複合体５１は、内部梁のＴスロット溝に挿入されたＴ型ナットに螺合されたボルトによって吊り下げられているので、その構成は極めて簡単である。
また、上記耐火材複合体９１において、上記下側耐火材９３、９５、９７、９９の境界部と上記上側耐火材１０１、１０３、１０５、１０７、１０９、１１１の境界部の位置がずれているので、上記下側耐火材９３、９５、９７、９９の境界部からの火炎の流出を上記上側耐火材１０１、１０３、１０５、１０７、１０９、１１１によって防止し、耐火機能を高めることができる。
また、上記天井パネル１の図４（ａ）中上側には、一枚物のアルミニウム合金製の化粧板１６１が設置されているともに、止水リベット１７１によって固定されているので、高い防水機能を提供することができる。
【００３０】
尚、本発明は、前記一実施の形態に限定されるものではない。
まず、断熱材、耐火材の枚数、内部梁の本数には様々な場合が考えられる。
また、断熱材、耐火材、その他構成要素の材質についても様々な場合が考えられる。
また、断熱材、耐火材の支持構造についても様々な構成が考えられる。
その他、図示した構成はあくまで一例である。
【産業上の利用可能性】
【００３１】
本発明は、例えば、組立家屋に設置される天井パネルに係り、特に、断熱性能と耐火機能の両方を兼備するように工夫したものに関し、例えば、ユニットハウスの天井パネルに好適である。
【符号の説明】
【００３２】
１  天井パネル
３  枠体
５  外周枠
５１  内部梁
５３  内部梁
５５  内部梁
５７  内部梁
５９  内部梁
９１  耐火材複合体（下側耐火材９３、９５、９７、９９、上側耐火材１０１、１０３、１０５、１０７、１０９、１１１を張り合わせたもの）
９３  下側耐火材
９５  下側耐火材
９７  下側耐火材
９９  下側耐火材
１０１  上側耐火材
１０３  上側耐火材
１０５  上側耐火材
１０７  上側耐火材
１０９  上側耐火材
１１１  上側耐火材
１３１  断熱材複合体（断熱材１４３を２枚張り合わせたもの）
１３３  断熱材複合体（断熱材１４７を２枚張り合わせたもの）
１３５  断熱材複合体（断熱材１４９を２枚張り合わせたもの）
１３７  断熱材複合体（断熱材１５１を２枚張り合わせたもの）
１３９  断熱材複合体（断熱材１５３を２枚張り合わせたもの）
１４１  断熱材複合体（断熱材１５５を２枚張り合わせたもの）
１４３  断熱材
１４７  断熱材
１４９  断熱材
１５１  断熱材
１５３  断熱材
１５５  断熱材
【図１】
2019127689.tif 000003
【図２】
2019127689.tif 000004
【図３】
2019127689.tif 000005
【図４】
2019127689.tif 000006
【図５】
2019127689.tif 000007
【図６】
2019127689.tif 000008
【図７】
2019127689.tif 000009
【図８】
2019127689.tif 000010
【図９】
2019127689.tif 000011
【図１０】
2019127689.tif 000012